(57)【要約】【課題】ページレイアウト上に含まれる圧縮画像に気づかずに、刷版を用いた印刷処理を行ってしまうことにより、印刷物に印刷事故が生じるのを防止する。【解決手段】プリントサーバでは、ページレイアウトの圧縮画像を検出すると、警告を発して、次の処理の選択を要求する。これにより、印刷中止が指定されると、印刷処理を中止する（ステップ１２０〜１３４）。また、警告色を用いた描画や輪郭線の付与が指定されることにより、その旨の描画設定を行い、警告ページの出力が指定されることにより、圧縮画像を抽出した印刷出力又は圧縮画像を削除した印刷出力がなされるように設定する（ステップ１３６〜１５０）。さらに、実際の刷版を用いた印刷処理を行ったときに相当する印刷物の出力を行うこともできる（ステップ１５２）。【選択図】        図３
2004151767.tif 000002
【特許請求の範囲】
【請求項１】
画像処理端末で作成されて、画像が配置されたページレイアウトの描画データ又は画像データに基づいて、印刷出力可能に画像処理を行う画像処理装置であって、
前記ページレイアウト上に配置される画像がデータ圧縮の施された圧縮画像であるか否かを判定する判定手段と、
前記判定手段によって圧縮画像であると判定したときに、該画像に対する変換処理を設定する設定手段と、
前記設定手段による設定に基づいて画像変換を行う変換手段と、
を含むことを特徴とする画像処理装置。
【請求項２】
前記判定手段の判定結果を、前記画像処理端末に告知する告知手段を含むことを特徴とする請求項１に記載の画像処理装置。
【請求項３】
前記設定手段による前記画像の変換処理を選択する選択手段を含むことを特徴とする請求項１又は請求項２に記載の画像処理装置。
【請求項４】
前記設定手段が、前記画像を所定色に変換するように設定することを特徴とする請求項１から請求項３の何れかに記載の画像処理装置。
【請求項５】
前記設定手段が、前記画像を前記ページレイアウト上から削除するように設定することを特徴とする請求項１から請求項３の何れかに記載の画像処理装置。
【請求項６】
前記設定手段が、前記ページレイアウト上から前記画像を抽出して印刷出力可能に変換するように設定することを特徴とする請求項１から請求項３の何れかに記載の画像処理装置。
【請求項７】
前記設定手段が、前記画像のみを抽出することを特徴とする請求項６に記載の画像処理装置。
【発明の詳細な説明】
【０００１】
【発明の属する技術分野】
本発明は、カラー画像が配置されたページレイアウトを印刷出力可能に画像処理する画像処理装置に関する。
【０００２】
【従来の技術】
印刷処理の分野におけるデジタル化として、ＤＴＰ（Ｄｅｓｋｔｏｐ  Ｐｕｂｌｉｓｈｉｎｇ）化が浸透している。ＤＴＰは、パーソナルコンピュータやワークステーション等の処理装置上で、各種のアプリケーションを用いて画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Ｃｏｍｐｕｔｅｒ  ｔｏ  Ｐｌａｔｅ）。
【０００３】
ＤＴＰでは、ページレイアウトの画像を、Ｙ、Ｍ、Ｃ及びＫの各色に分解する分版処理を施し、それぞれの画像データに基づいて印刷版を露光することにより、印刷版に網点画像を形成した刷版を作成する。
【０００４】
一方、実際の刷版を用いた印刷に先立って、校正を行うことがあり、このときには、モニタ上にページレイアウトを表示したり、ＷＹＳＩＷＹＧ機能等を用いてレーザプリンタやページプリンタ等の印刷出力装置により印刷出力する。
【０００５】
ところで、ＤＴＰ用のアプリケーションでは、画像の作成、加工、編集等を行うことにより、ページレイアウトをカラー情報で作成するが、刷版を用いた印刷処理を行うときには、Ｃ、Ｍ、Ｙ、Ｋの各色のインキ成分の画像に分解して刷版を作成する必要がある。
【０００６】
ここから、ＤＴＰ用アプリケーションや、ＲＩＰ（Ｒａｓｔｅｒ  Ｉｍａｇｅ    Ｐｒｏｃｅｓｓｏｒ）と呼ばれる画像データ又は描画命令をビットマップデータに変換する機能を備えた画像処理装置で、ＣＭＹＫの各色に色分解を行う必要がある。
【０００７】
一方、ＤＴＰ用アプリケーションでレイアウト（ページレイアウト）を作成するときには、印刷物上で十分な画像品質を得るために高解像度の画像データを使用するが、高解像度の画像データはデータ容量（画像サイズ）が大きいためページレイアウト上の描画データまたは画像データを印刷出力する際に処理時間がかかったり、送信に時間がかかったりする。
【０００８】
このような問題を解決する方法として、レイアウト時に低解像度の画像を使用する画像すり替えサーバーが種々提案されている（例えば、特許文献１、特許文献２参照。）。
【０００９】
しかし、これらの提案では、すり替えのために高解像度の画像を予め登録しておかなければならず、頻繁に画像が修正されるとき、画像の使用期間が短い時、画像が１回程度しか使用されないときなどでは、登録画像の画像管理を頻繁に行う必要があり、画像管理に手間がかかるという問題がある。
【００１０】
近年、画像圧縮技術の進歩により、画像圧縮技術の使用が一般化しており、ここから、ＪＰＥＧ形式などの高圧縮を施した画像データを使用する方が有用と判断され、ページレイアウトの作成に多用されている。
【００１１】
【特許文献１】
特開２０００−３４１５０３号公報
【特許文献２】
特開２０００−３４１５０４号公報
【００１２】
【発明が解決しようとする課題】
しかしながら、色分解するページレイアウト上に、例えば、ＪＰＥＧ等の圧縮処理が施されるなどした複雑な画像データが存在すると、色分解が行われずに、その画像に対しては、Ｋ色のみのデータとなってしまうことがある。
【００１３】
すなわち、通常のプリンタでは、色分解せずにカラー画像を取り扱うことができるので、カラー印刷が可能となるが、刷版を用いた印刷を行うためには、プロセスカラー印刷用のＣＭＹＫの各色に色分解する必要があり、このときに、複雑な処理が要求される画像データに対しては、Ｋ色として出力してしまう。
【００１４】
これにより、プリンタを用いて、ページレイアウトの作成中や作成したページレイアウトの校正刷りを行うときには、カラー画像として見えるが、刷版を用いた印刷処理を行ったときに、印刷物上では、Ｋ色だけの画像となって、印刷物が想定した仕上りとならない所謂印刷事故を発生させてしまうという問題が生じてしまう。
【００１５】
本発明は上記事実に鑑みてなされたものであり、画像データを用いた作成した刷版を用いて印刷処理を行ったときに、画像データが複雑であるために印刷事故が生じてしまうのを防止可能とする画像処理装置を提案することを目的とする。
【００１６】
【課題を解決するための手段】
上記目的を達成するために本発明は、画像処理端末で作成されて、画像が配置されたページレイアウトの描画データ又は画像データに基づいて、印刷出力可能に画像処理を行う画像処理装置であって、前記ページレイアウトに配置された個々の画像の種類を判定する判定手段と、前記判定手段によって予め設定している種類の画像であると判定したときに、該画像に対する変換処理を設定する設定手段と、前記設定手段による設定に基づいて画像変換を行う変換手段と、を含むことを特徴とする。
【００１７】
この発明によれば、画像データからページレイアウト上の個々の画像についてデータ圧縮の施された圧縮画像であるか否かを判定する。これにより、その画像の画像データが例えばＪＰＥＧなどの圧縮形式で圧縮処理された圧縮画像であるときには、設定手段がその画像に対する変換処理を設定する。
【００１８】
変換手段は、設定手段の設定に基づいて、該当する画像に対する処理を行い、たとえば、その画像の明確化や、その画像の適正化を図る。
【００１９】
このような本発明では、前記判定手段の判定結果を、前記画像処理端末に告知する告知手段を含み、該当する画像を検出したことを告知するものであっても良い。
【００２０】
また、発明は、前記設定手段による前記画像の変換処理を選択する選択手段を含み、変換処理の選択を可能としたものであってもよい。
【００２１】
さらに、本発明は、前記設定手段が、前記画像を所定色に変換するように設定するものであっても良く、前記設定手段が、前記画像を前記ページレイアウト上から削除するものであっても良い。
【００２２】
また、前記設定手段が、前記画像を抽出して印刷出力可能に変換するように設定しても良く、さらに、圧縮画像のをみ抽出して印刷出力可能に設定するものであっても良い。
【００２３】
このような設定手段を用いることにより、判定手段が圧縮画像と判定した画像の明確化を図ることができる。
【００２４】
【発明の実施の形態】
以下、図面を参照しながら本発明の実施の形態を説明する。図１には、本実施の形態に適用した印刷システム１０の概略構成を示している。この印刷システム１０は、例えば、一般的構成のパーソナルコンピュータ（ＰＣ）に、所定の機能を備えたＰＣＩボードを追加するなどして構成した画像処理装置１２を備えている。また、この画像処理装置１２には、印刷出力装置としてプリンタ１４が接続され、画像処理装置１２で処理した画像の印刷出力が可能となっている。
【００２５】
さらに、画像処理装置１２には、パーソナルコンピュータ、ワークステーション等がクライアント端末１６として接続されている。このクライアント端末１６は、各種アプリケーションを用いて画像の作成、加工、編集等の画像処理を行うＤＴＰに使用可能となっている。画像処理装置１２は、こられのクライアント端末１６から入力される描画命令に基づいて印刷処理を行う。
【００２６】
すなわち、印刷システム１０では、画像処理装置１２がプリントサーバの機能を併せ持っている（以下、画像処理装置１２を「プリントサーバ１２」とする）。なお、印刷システム１０としては、プリントサーバ１２に複数台のプリンタ１４が接続されたものであっても良く、また、プリントサーバ１２に複数のクライアント端末１６を、ＬＡＮ、ＷＡＮ等のネットワークを介して接続しても良い。
【００２７】
本実施の形態に用いるプリントサーバ１２は、ＲＯＭ、ＲＡＭ、ＨＤ等の外部メモリが設けられ、ＲＯＭに記憶しているオペレーティングプログラムによって動作し、ＲＯＭないし外部メモリに記憶されたプログラムに基づいて、システム図形、イメージ、文字ないし表等に対しての処理を実行する一般的構成となっている。
【００２８】
このようなプリントサーバ１２には、キーボード、マウス（何れも図示省略）等の入力デバイス、ＣＲＴディスプレイ等の表示デバイスを備えている。また、プリントサーバ１２においても、表示デバイスの表示画像に対する印刷処理が可能となっている（ＷＹＳＩＷＹＧ機能）。
【００２９】
プリントサーバ１２には、イーサネット（Ｒ）（Ｅｔｈｅｒｎｅｔ（Ｒ））等の双方向インターフェイス１８及びプリントコントローラ２０が設けられ、プリントコントローラ２０が双方向インターフェイス１８を介してプリンタ１４に接続している。また、プリントサーバ１２には、画像処理部２４及び印刷機能設定部２６が形成されている。
【００３０】
また、プリントサーバ１２には、ネットワークインターフェイス２２が設けられ、このネットワークインターフェイス２２を介してクライアント端末１６から画像ファイルと共に描画命令が印刷ジョブとして入力される。プリントサーバ１２は、この描画命令に基づいた印刷処理を行う一般的構成となっている。
【００３１】
クライアント端末１６は、例えばＰｈｏｔｏｓｈｏｐ、Ｉｌｌｕｓｔｒａｔｏｒ（何れも米アドビシステムズ社の商品名）、ＱｕａｒｋＸＰｒｅｓｓ（米クォーク社の商品名）等の各種のＤＴＰアプリケーションを用いて、画像の作成、加工、編集等の画像処理を行い、ページレイアウト等の画像データを作成する（以下「ページレイアウト」として説明する）。
【００３２】
このクライアント端末１６によって作成されたページレイアウトが、ＣＭＹＫのプロセスカラーなどに色分解（分版）されて、カラー電子製版システム（ＣＥＰＳ）で印刷版の露光に用いるフィルムの作成や、ダイレクト製版（ＣＴＰ）での印刷版の露光に用いられ、このページレイアウトに基づいて作成された刷版によって印刷処理がなされる。
【００３３】
ＤＴＰでは、ページレイアウトに基づいた刷版の作成に先だって、カラープルーフ等と呼ばれる校正用の印刷物（プルーフ）を作成する校正刷りが行われ、この校正刷りから、ページレイアウトの校正を行う。本実施の形態に適用した印刷システム１０では、このプルーフの作成が可能となっている。
【００３４】
この校正刷りを行うときには、クライアント端末１６から描画命令と共にページレイアウトを含む画像ファイルが、印刷ジョブとしてプリントサーバ１２へ出力される。これにより、プリントサーバ１２は、ページレイアウトに基づいた印刷処理を行う。
【００３５】
クライアント端末１６から入力されるページレイアウトは、ＣＭＹＫ形式であっても良く、また、ＲＢＧ形式であっても良く、さらに、これらが混在するものであっても良く、いずれにおいてもコンポジット出力となっている。
【００３６】
印刷機能設定部２６では、印刷ジョブの描画命令上での印刷機能の設定を読出して、画像処理及び印刷処理を行うときの印刷機能を設定する。なお、この印刷機能の設定は、印刷ジョブ上の設定に限らず、例えば、プリントサーバ１２が印刷ジョブを作成したアプリケーション名を抽出し、この抽出結果に基づいて予め設定されて記憶している設定値を用いるものであっても良い。
【００３７】
プリントサーバ１２の画像処理部２４は、ページレイアウトをＣＭＹＫの各色に分版されたラスタデータを生成するＲＩＰ処理等を行う。
【００３８】
プリントサーバ１２では、このラスタデータを、プリントコントローラ２０によって制御しながらプリンタ１４へ出力することにより、クライアント端末１６から出力されたページレイアウトに応じた印刷物が得られるようにしている。
【００３９】
ところで、プリントサーバ１２には、画像検出部２８、告知部３０及び処理設定部３２が設けられている。
【００４０】
画像検出部２８では、ページレイアウト上の画像の中から予め設定されている種類の画像を検出する。本実施の形態では、一例として、例えば、画像データが、ＪＰＥＧ形式などで圧縮されている圧縮画像を検出するようにしている。
【００４１】
クライアント端末１６では、各種のＤＴＰ用アプリケーションを用いて、画像の作成、加工、編集等の処理を行ってページレイアウトを作成する。このとき、各種の圧縮形式で圧縮処理した画像を用いて、ページレイアウトを作成することもできる。
【００４２】
一方、ページレイアウト上に圧縮形式の画像データがあると、このページレイアウトを、ＣＭＹＫの各色版に分版するときに、カラー画像であっても、Ｋ版に変換されてしまう。このために、このページレイアウトから作成した刷版を用いて印刷処理したときに、画像データが圧縮形式の画像は、Ｋ色（黒ないしグレー色）となって印刷物上に現れ、印刷物に想定した仕上りが得られない所謂印刷事故を生じさせてしまう。
【００４３】
ここから、プリントサーバ１２では、このような印刷事故を生じさせる画像を、画像検出部２８で検出するようにしている。
【００４４】
なお、圧縮画像は、ＤＣＴＤｅｃｏｄｅ等のプリンタ記述言語での圧縮伸張のためのキーワードから検出しても良く、画像データの先頭数バイトを読み出して、それが圧縮画像形式のヘッダーかどうかで検出して良く、また、プリンタ記述言語を解釈するソフトウェアが提供する情報を用いて良く、特に、検出方法は限定されない。
【００４５】
告知部３０は、ページレイアウト上に、画像検出部２８で検出される画像があったときに、この印刷ジョブを出力したクライアント端末１６へ告知する。
【００４６】
また、処理設定部３２では、画像検出部２８で検出された画像（画像データ）に対する処理を設定する。
【００４７】
このとき、処理設定部３２では、検出した画像に対する処理として、検出した画像をページレイアウト上から削除した印刷出力ないし、検出した画像のみの印刷出力の選択が可能となっている。また、処理設定部３２では、検出した画像を予め設定している警告色に変換したり、検出した画像の周縁部を警告色によって縁取り（輪郭線）するなどして、印刷出力するように設定可能となっている。
【００４８】
画像処理部２４では、この処理設定部３２による設定に基づいた印刷出力が得られるように画像処理を施す。このとき、画像処理部２４では、ページレイアウトをＣＭＹＫの各色成分の画像データに分版したラスタデータを生成するようにしている。
【００４９】
また、画像処理部２４では、圧縮画像に対しても、本来のカラー画像が得られるように処理が可能となっている。
【００５０】
なお、画像処理部２４としては、ページレイアウトをＣＭＹＫの各色成分に分版処したラスタデータを生成するＲＩＰ処理を施す一般的構成を用いることができる。また、画像処理部２４としては、これに限らず、ページレイアウトに応じた印刷出力が得られる任意の構成を適用することができる。
【００５１】
ここで、プリントサーバ１２での圧縮画像ないし圧縮画像を含むページレイアウトに対する処理の概略を説明する。
【００５２】
プリントサーバ１２では、クライアント端末１６で作成されたページレイアウト等が印刷ジョブとして入力されると、各種の印刷機能の設定を読み込むと共に、各ページレイアウト上からの圧縮画像の検出を行う。
【００５３】
図２には、圧縮画像の検出の概略を示しており、このフローチャートでは、最初のステップ１００で、ページ設定を行う。このページ設定では、複数ページのページレイアウトがあるときに、１ページ目から順にページ設定を行って、全てのページレイアウト上から圧縮画像を検出するようにしている。
【００５４】
このステップ１００でページ設定を行うと、次のステップ１０２では、設定されたページのページレイアウト上から、画像データがＪＰＥＧ形式などで圧縮された圧縮画像を検出する。なお、圧縮画像の検出は、任意の方法を用いることができるので、その説明は省略する。
【００５５】
ここで、圧縮画像を検出すると、ステップ１０２で肯定判定してステップ１０４へ移行する。このステップ１０４では、検出した圧縮画像を特定可能な情報を取得して、図示しないメモリに保存する。
【００５６】
また、ステップ１０６では、１ページ分の圧縮画像の検出が終了したか否かを確認し、１ページ分の圧縮画像の検出を終了すると、ステップ１０６で肯定判定して、ステップ１０８へ移行する。このステップ１０８では、最終ページまでの圧縮画像の検出が終了したか否かを確認し、終了していなければ否定判定して、ステップ１００に戻り、次のページに対する処理を開始する。
【００５７】
プリントサーバ１２では、このようにして圧縮画像の検出を終了すると、圧縮画像に対する処理設定を行う。
【００５８】
図３には、圧縮画像処理の一例を示しており、このフローチャートでは、圧縮画像検出が終了することにより実行され、最初のステップ１２０では、圧縮画像が検出されたか否かを確認する。すなわち、検出された圧縮画像を特定する情報が保存されているか否かを確認し、圧縮画像がなければ、ステップ１２０で否定判定して、この処理を終了し、この印刷ジョブに対する画像処理部２４での通常の印刷処理（画像処理）を実行する。
【００５９】
一方、圧縮画像が検出されていると、ステップ１２０で肯定判定して、ステップ１２２へ移行して告知処理を行う。この告知処理では、例えばクライアント端末１６のモニタ上に警告メッセージのダイアログを表示する。
【００６０】
図４（Ａ）には、警告メッセージのダイアログの一例を示している。ダイアログでは、圧縮画像が含まれていることを示す警告と共に、次の処理として、プレビュー画像の表示、印刷処理の継続、印刷処置の中止等の設定が可能となっている。
【００６１】
図３に示すフローチャートでは、クライアント端末１６のモニタに表示したダイアログに基づいて次の処理が設定されると、ステップ１２４へ移行して、設定された処理を読み込み、ステップ１２６では、プレビュー表示が設定されたか否かを確認する。
【００６２】
ここで、プレビュー表示が設定されていると、ステップ１２６で肯定判定して、ステップ１２８へ移行し、保存している圧縮画像を特定する情報に基づいて、圧縮画像を示すプレビュー用画像の作成を行い、ステップ１３０で、作成したプレビュー画像をクライアント端末１６へ出力して、クライアント端末１６のモニタに表示する。
【００６３】
これにより、モニタに表示したプレビュー画像から、ページレイアウト上の圧縮画像を的確に判断できる。
【００６４】
一方、プレビュー表示が選択されていなかったり、プレビュー表示が終了して、次の処理の設定が入力されたときには、ステップ１２６で否定判定してステップ１３２へ移行する。このステップ１３２では、印刷処理の中止が選択されたいるか否かを確認し、印刷処理の中止が選択されているときには、ステップ１３２で肯定判定してステップ１３４へ移行し、印刷処理の中止を設定する。
【００６５】
これに対して、印刷処理の継続が指定されているときには、ステップ１３２で否定判定して、ステップ１３６へ移行する。このステップ１３６では、圧縮画像ないし圧縮画像を含むページレイアウトに対する詳細な処理の入力を要求するダイアログを、クライアント端末１６のモニタ上に表示する。
【００６６】
図４（Ｂ）には、このときに表示するダイアログの一例を示している。このダイアログでは、圧縮画像に対して色変換を行うことにより圧縮画像を明確にするか、輪郭線を付与することにより明確にするかの選択設定が可能となっている。また、色変換や輪郭線を付与するときの色の設定が可能となっている。
【００６７】
すなわち、圧縮画像を警告色によって明確にするか、警告色の輪郭線を付与することにより明確化するかの選択が可能となっている。このとき、警告色としては、予め設定されている色（例えばマゼンタ）を用いることもできるし、任意に設定した色を用いることもできるようにしている。
【００６８】
ここで、クライアント端末１６のモニタに表示したダイアログ等を用いて、印刷処理の指定が入力されると、ステップ１３８で、その設定を読み込む。この後に、ステップ１４０では、色変換に設定されているか否かを確認し、ステップ１４２では、輪郭線に設定されているか否かを確認する。また、ステップ１４８では、警告ページの印刷出力に設定されているか否かを確認する。
【００６９】
ここで、色変換に指定されていると、ステップ１４０で肯定判定してステップ１４６へ移行し、検出している圧縮画像を、指定された警告色で描画するように設定する。
【００７０】
画像処理部２４では、圧縮画像に対して設定された印刷出力が得られるように画像処理を行うようになっており、これにより、圧縮画像に対して色変換を施して描画するように設定されると、圧縮画像を本来のカラー画像ではなく、設定された色で印刷出力される。設定されている色の初期状態は、Ｋ色のみの黒で、刷版を用いた印刷のためにＤＴＰアプリケーションから分解出力した場合に、圧縮画像がＫ色となってしまうのと同等になるように設定される。
【００７１】
また、輪郭線の付与が指定されると、ステップ１４０で否定判定された後にステップ１４２で肯定判定されてステップ１４８へ移行する。このステップ１４８では、圧縮画像が指定された色の輪郭線で囲われて印刷出力されるように設定する。なお、このときには、輪郭線の内側が、本来のカラー画像となるようにしている。
【００７２】
さらに、警告ページの出力が指定されると、ステップ１４０、１４２で否定判定された後にステップ１４４で肯定判定されてステップ１５０に移行する。このステップ１５０では、圧縮画像を削除するか、抽出するかの設定を読み込んで、その設定に合わせた警告ページを描画するように設定する。
【００７３】
すなわち、画像抽出が指定されていると、ページレイアウト上から圧縮画像のみを抽出して、この圧縮画像のみを本来のカラー画像で印刷出力するように設定する。また、画像削除が指定されていると、ページレイアウトから圧縮画像を削除し、圧縮画像が含まれない印刷出力が得られるように設定する。なお、圧縮画像を抽出して印刷出力するときには、圧縮画像のみを抽出するのではなく、圧縮画像の周縁部を、所定範囲で抽出して圧縮画像に合わせて印刷出力するものであってもよく、これにより、ページレイアウト上の圧縮画像をより明確に示すことができる。
【００７４】
このように、プリントサーバ１２では、ページレイアウト上に圧縮画像が配置されているときには、種々の方法で、その圧縮画像が明確となるように印刷出力することができるので、ページレイアウト上に圧縮画像があることに気づかずに刷版を作成して、印刷処理を行ったために、印刷物に故障を生じさせてしまうのを確実に防止することができる。
【００７５】
一方、カラー印刷が指定されているときには、ステップ１４０、１４２、１４４のそれぞれで否定判定されてステップ１５２へ移行する。このステップ１５２では、圧縮画像であっても、本来のカラー画像となるように描画するように設定する。
【００７６】
このように設定されることにより、プリンタ１４から出力される印刷物には、圧縮画像の有無にかかわらず、ページレイアウト上のカラー画像に応じた印刷物を得ることができる。
【００７７】
このように、印刷システム１０に設けているプリントサーバ１２では、クライアント端末１６で作成されたページレイアウト上に圧縮画像等の予め設定されている画像が配置されていると、その画像を検出して、クライアント端末１６に告知するので、圧縮画像が用いられているにもかかわらず刷版を作成して、印刷処理を行ってしまうことにより、得られる印刷物に印刷事故を生じさせてしまうのを確実に防止することができる。
【００７８】
また、ページレイアウト上に圧縮画像があるために、画像の配置等を確認する校正作業が中断してしまうのを防止できる。
【００７９】
さらに、プリントサーバ１２では、圧縮画像を検出したときに、その圧縮画像を種々の方法で印刷出力して明確に特定できるようにしているので、クライアント端末１６で、圧縮画像を非圧縮画像等に変換する作業を容易にかつ的確に行うことができる。
【００８０】
また、プリントサーバ１２では、圧縮画像の有無にかかわらず、印刷仕上りの確認が可能となることは勿論、圧縮画像に気づかずに刷版を用いて印刷処理を行ったときの仕上りの確認も可能となる。
【００８１】
なお、本実施の形態では、警告及び処理設定を行うために、図４（Ａ）及び図４（Ｂ）に示すダイアログを用いたが、警告及び処理設定の要求は、これに限るものではなく、例えば、警告と処理設定を一つのダイアログでまかなうようにしても良く、また、任意値のレイアウトのダイアログを用いることができる。
【００８２】
また、本実施の形態では、圧縮画像などの予め設定した画像を検出したときの処理を、プリントサーバ１２上ないしクライアント端末１６上で予め設定して、設定している処理を行うようにして、検出した画像を告知するのみとしても良い。
【００８３】
このようなときには、例えばユーザーインターフェイスとして図５に示す如きＥＰＳ（ＪＰＥＧ）画像警告用のダイアログを用いて、このダイアログをクライアント端末１６のモニタ上に表示して、予め圧縮画像に対する処理の設定が可能となるようにしても良い。なお、図５に示すダイアログでは、圧縮画像に対する処理の一例として、「警告色」による描画、刷版を用いた印刷と同様のＫ色の画像とする「分解出力シミュレーション」及びページレイアウトの確認が可能となるようにカラー画像として描画する「なし（カラー画像）」の何れかを選択して指定することができるようにしている。
【００８４】
また、このようにして予め処理を設定しているときには、図６に示す如き処理の流れとすることができる。すなわち、印刷ジョブに対する処理を行うときに、まず、ステップ１６０で、ＥＰＳ（ＪＰＥＧ）画像警告がオンされているか否かを確認する。
【００８５】
ここで、ＥＰＳ（ＪＰＥＧ）画像警告がオンされているときには、ステップ１６０で肯定判定して、ステップ１６２へ移行して、画像抽出処理を行う（例えば図２のフローチャートに相当する処理）。
【００８６】
この後に、ステップ１６４では、圧縮画像を抽出したか否かを確認し、圧縮画像を抽出した時には、ステップ１６４で肯定判定してステップ１６６へ移行し、例えば図３に示す如き圧縮画像に対する変換処理を行う。
【００８７】
このようにして変換処理が終了した後に、ステップ１６８へ移行して、印刷ジョブに対する印刷処理を行えば良い。
【００８８】
なお、以上説明した本実施の形態は、本発明の構成を限定するものではなく、例えば、本実施の形態では、本発明を適用した画像処理装置としてプリントサーバ１２を例示したが、これに限らず、例えば、画像処理専用に設けた中間サーバなど、任意の画像処理装置を適用することができる。
【００８９】
【発明の効果】
以上説明したように本発明によれば、ページレイアウト上に、印刷仕上りに不具合を生じさせる圧縮画像の有無を検出して、検出した画像が明確になるように画像処理を施す。これにより、例えば、圧縮画像があることに気づかずに刷版を作成して印刷処理を行ってしまうことにより、印刷事故を生じさせてしまうのを確実に防止することができるという優れた効果が得られる。
【図面の簡単な説明】
【図１】本実施の形態に適用した印刷システム及びプリントサーバを示す概略構成図である。
【図２】圧縮画像の検出処理の一例を示す流れ図である。
【図３】検出した圧縮画像に対する処理の一例を示す流れ図である。
【図４】（Ａ）は告知手段の一例として用いるダイアログを示す概略図、（Ｂ）は処理の選択の一例として用いるダイアログを示す概略図である。
【図５】圧縮画像に対する処理選択の他の一例を示すダイアログの概略図である。
【図６】図５のダイアログを用いたときの処理の一例を示す流れ図である。
【符号の説明】
１０    印刷システム
１２    プリントサーバ（画像処理装置）
１４    プリンタ（印刷出力装置）
１６    クライアント端末（画像処理端末）
２４    画像処理部（変換手段）
２８    画像検出部（判定手段）
３０    告知部（告知手段）
３２    処理設定部（設定手段）
【図１】
2004151767.tif 000003
【図２】
2004151767.tif 000004
【図３】
2004151767.tif 000005
【図４】
2004151767.tif 000006
【図５】
2004151767.tif 000007
【図６】
2004151767.tif 000008